(57)【要約】【課題】操作対象機器に対して予め特定された少なくとも一つの操作を、操作対象機器の本体部に触れることなく、且つ直感的に使用者に行わせることを可能とする操作機器ユニットを提供する【解決手段】操作機器ユニット１は、眼鏡の着用時に使用者の顔の正面側に配置するように眼鏡に固定される光源装置３と、操作対象機器に対して予め特定された少なくとも一つの操作を行うためのタッチセンサ装置５と、タッチセンサ装置５のうち少なくとも使用者による入力操作を検出する部位を含むタッチセンサ２を、眼鏡におけるテンプル部またはテンプル部の周辺部分にて保持するための第２のケーブル固定具８ａ〜８ｃと、を備える。これにより、光源装置３が固定された同じ眼鏡において、タッチセンサ２が光源装置３とは離間した位置にて保持され、使用者は、眼鏡のテンプル部またはテンプル部の周辺部分を触れるような感覚で、タッチセンサ２に触れることが可能となる。【選択図】図１
0003187851.tif 000002
【実用新案登録請求の範囲】
【請求項１】
眼鏡またはヘッドバンドを取付対象とし、該取付対象の着用時に使用者の顔の正面側に配置するように前記取付対象に固定される操作対象機器と、
前記操作対象機器に対して予め特定された少なくとも一つの操作を行うための操作デバイスと、
前記操作デバイスのうち少なくとも前記使用者による入力操作を検出する操作検出部を含むデバイス部材を、前記取付対象におけるテンプル部またはテンプル部の周辺部分にて保持するためのデバイス保持部と、
を備えることを特徴とする操作機器ユニット。
【請求項２】
前記使用者に携帯され、前記操作対象機器および前記操作デバイスに電源を供給する携帯バッテリと、
前記操作対象機器と前記携帯バッテリとの間に設けられて前記操作対象機器に直接接続される第１のケーブルを、前記取付対象における一方のテンプル部に沿うように固定する第１のケーブル固定具と、  
を備え、
前記デバイス保持部は、前記デバイス部材と前記携帯バッテリとの間に設けられて前記デバイス部材に直接接続される第２のケーブルを、前記取付対象において前記第１のケーブルが固定された方とは別の他方のテンプル部に沿うように固定する第２のケーブル固定具によって構成されていることを特徴とする請求項１に記載の操作機器ユニット。
【請求項３】
前記第１のケーブルと前記第２のケーブルとを前記使用者の背面側にて束ねるスペーサを備え、
前記スペーサは、前記使用者の顔の正面側での前記操作対象機器および前記デバイス部材の重量による前記取付対象への作用力に対し、自身の重量によって前記使用者が着用時の前記取付対象の上下左右方向における重心が安定する位置にて前記第１のケーブルと前記第２のケーブルとを束ねることが可能に構成されていることを特徴とする請求項２に記載の操作機器ユニット。
【考案の詳細な説明】
【技術分野】
【０００１】
本発明は、使用者の眼鏡やヘッドバンド等に取り付けることが可能な機器を操作対象として構成される操作機器ユニットに関する。
【背景技術】
【０００２】
従来、例えば眼鏡におけるブリッジ部またはブリッジ部の周辺部分を挟持するクリップ部を備える眼鏡着脱式ライトが知られている（例えば、特許文献１参照）。この眼鏡着脱式ライトによれば、使用者は、クリップ部によって光源装置を眼鏡に取り付けることができ、回動機構を操作することで光源装置を回動させ、光の照射位置や照射方向を容易に調整することができる。
【先行技術文献】
【特許文献】
【０００３】
【特許文献１】実用新案登録第３１７１５２７号公報
【考案の概要】
【考案が解決しようとする課題】
【０００４】
しかしながら、上記従来の眼鏡着脱式ライトでは、光源装置への電力供給をオン／オフするスイッチが携帯バッテリに設けられていたため、スイッチの操作性に改善の余地があった。すなわち、携帯バッテリは使用者の衣服のポケットに収容されることが多いため、使用者がポケットを弄って携帯バッテリに設けられたスイッチを探す必要がある等、使用者が直感的にスイッチの位置を認識しがたい構造となっていた。
【０００５】
これに対し、例えば眼鏡の着用時に使用者の顔の正面側に配置する光源装置の本体部にスイッチを設けることも考えられるが、この場合、使用者がスイッチに触れることで、光源装置の位置がずれ、光の照射位置や照射方向を不用意に変えてしまうことが考えられた。
【０００６】
本考案は、こうした事情等に鑑みてなされたものであり、光源装置等の操作対象機器に対して予め特定された少なくとも一つの操作を、操作対象機器の本体部に触れることなく、且つ直感的に使用者に行わせることを可能とする操作機器ユニットの提供を目的とする。
【課題を解決するための手段】
【０００７】
上記目的を達成するためになされた本考案の操作機器ユニットは、操作対象機器と、操作デバイスと、デバイス保持部と、を備えて構成される。
操作対象機器は、眼鏡またはヘッドバンドを取付対象とし、その取付対象の着用時に使用者の顔の正面側に配置するように取付対象に固定される機器である。この操作対象機器としては、上記従来の眼鏡着脱式ライトにおける光源装置の他、例えば動画や静止画を撮像する撮像装置等が挙げられる。また、操作対象機器は、着脱可能に取付対象に固定されるものであってもよいし、取付対象に予め固定された取付対象と一体型のものであってもよい。
【０００８】
操作デバイスは、上記操作対象機器に対して予め特定された少なくとも一つの操作を行うためのデバイスである。この操作デバイスとしては、上記従来の眼鏡着脱式ライトにおける単純なオン／オフを切り替えるスイッチの他、光量等を調整するスイッチ類等が挙げられる。また、操作デバイスは、使用者による入力操作を検出する操作検出部のみで構成されるものであってもよいし、この操作検出部によって検出された入力操作に応じた操作対象機器に対する制御を行う制御回路をさらに備えて構成されるものであってもよい。つまり、上記制御回路は、操作デバイスが具備していてもよいし、操作対象機器が具備していてもよい。なお、上記スイッチとしては、メカ式のものに限らず、タッチセンサを用いてもよい。
【０００９】
デバイス保持部は、少なくとも上記操作検出部を含むデバイス部材を、取付対象におけるテンプル部またはテンプル部の周辺部分にて保持するように構成されている。
このように構成された操作機器ユニットでは、操作対象機器が固定された同じ取付対象において、デバイス部材が操作対象機器とは離間した位置（テンプル部またはテンプル部の周辺部分）にて保持されるため、使用者がデバイス部材に触れることで、操作対象機器の位置に影響を及ぼすことがほぼなくなる。また、使用者は、テンプル部またはテンプル部の周辺部分を触れるような感覚で、デバイス部材に触れることが可能となる。
【００１０】
したがって、本考案によれば、光源装置等の操作対象機器に対して予め特定された少なくとも一つの操作を、操作対象機器の本体部に触れることなく、且つ直感的に使用者に行わせることができ、その結果、操作対象機器の操作性を向上させることができる。
【図面の簡単な説明】
【００１１】
【図１】操作機器ユニットの全体構成を例示する図である。
【図２】（ａ）は、デバイス保持具およびケーブル保持具の構成を例示する斜視図であり、（ｂ）は、そのＸ−Ｘ´方向における断面図である。
【図３】（ａ）〜（ｄ）は、テンプル挟持部の内部空間における領域調整を説明するための補足図である。
【考案を実施するための形態】
【００１２】
以下に、本考案の実施形態を図面と共に説明する。
なお、本考案は、下記の実施形態によって何ら限定して解釈されない。また、下記の実施形態の一部を、課題を解決できる限りにおいて省略した態様も本考案の実施形態である。また、実用新案登録請求の範囲に記載した文言のみによって特定される発明の本質を逸脱しない限度において考え得るあらゆる態様も本考案の実施形態である。
【００１３】
＜第１実施形態＞
図１に示すように、第１実施形態の操作機器ユニット１は、操作対象機器としての光源装置３と、操作デバイスとしてのタッチセンサ装置５と、これら装置３，５に必要な電源を供給する携帯バッテリ７とを備えて構成される。
【００１４】
携帯バッテリ７は、使用者の衣服の一部（主にズボンのポケット）に収容可能な大きさのものであり、付属のアダプター（非図示）を介して家庭用電源に接続され、充電できるように構成されている。この携帯バッテリ７には、使用者の衣服の一部（例えばポケットの開口部やワイシャツの合わせ部等）に係止させるためのクリップ７ａや、光源装置３への電力供給をオン／オフするためのバッテリスイッチ７ｂ等が設けられている。
【００１５】
光源装置３は、例えばＬＥＤ光やレーザ光といった所定の光を照射する装置であり、取付対象としての眼鏡におけるブリッジ部またはブリッジ部の周辺部分を挟持するクリップ部３ａに、連結部３ｂを介して上下方向に回動自在に付設されている。詳細な構成については、上記特許文献１を参照されたい。
【００１６】
なお、この光源装置３を携帯バッテリ７に制御回路４を介して接続する第１のケーブル１１は、第１のケーブル固定具６ａ，６ｂによって、眼鏡のフレーム上部またはフレーム上部周辺ならびに眼鏡の一方（例えば左側）のテンプル部に保持される。
【００１７】
第１のケーブル固定具６ａ，６ｂは、標準的な形状（大きさ）の眼鏡のテンプル部と、第１のケーブル１１と、を結束可能な内径を有するリング状の弾性部材であり、第１のケーブル１１を眼鏡の一方（例えば左側）のテンプル部に沿うように固定するために用いられる。
【００１８】
タッチセンサ装置５は、操作検出部としてのタッチセンサ２と、タッチセンサ２からの入力信号に応じて光源装置３のオン／オフ制御を行う制御回路４とを有して構成される。
タッチセンサ２は、使用者の指の幅程度の長さを有する筒状の電極であり、例えば指先と導電膜との間での静電容量の変化を検出することで、使用者による入力操作（タッチ操作）を検出する静電容量方式のものが採用される。
【００１９】
このタッチセンサ２は、デバイス保持部としての複数の第２のケーブル固定具８ａ，８ｂ，８ｃによって、眼鏡のテンプル部またはテンプル部の周辺部分に保持される。
第２のケーブル固定具８ａ，８ｂ，８ｃは、標準的な形状（大きさ）の眼鏡のテンプル部と、タッチセンサ２と制御回路４とを電気的に接続する第２のケーブル１２と、を結束可能な内径を有するリング状の弾性部材であり、第２のケーブル１２を眼鏡の他方（例えば右側）のテンプル部に沿うように固定するために用いられる。
【００２０】
制御回路４は、リレーやトランジスタ等を用いて構成されるスイッチ回路であり、筐体４ａ内に設けられた基板上に配設されている。この筐体４ａは、一方の側面に、第１のケーブル１１を接続するコネクタ（非図示）と第２のケーブル１２を収容するための開口部が形成されており、他方の対向側面に、制御回路４と携帯バッテリ７とを電気的に接続する第３のケーブル１３を収容するための１つの開口部が形成されている。制御回路４は、第２のケーブルを介してタッチセンサ２からの入力信号を受ける毎に、第１のケーブル１１と第３のケーブル１３との電気的な接続状態を導通状態から非導通状態に、あるいは非導通状態から導通状態に切り替える。すなわち、制御回路４は、タッチセンサ２が使用者の指で触れられる毎に、光源装置３の駆動をオンからオフ、あるいはオフからオンに切り替えることにより、光源装置３を点灯させたり、消灯させたりする。
【００２１】
以上の構成によれば、光源装置３が固定された同じ眼鏡において、タッチセンサ２が光源装置３とは離間した位置にて保持されるため、使用者がタッチセンサ２に触れることで、光源装置３の位置がずれる懸念がほぼなくなる。また、使用者は、眼鏡のテンプル部またはテンプル部の周辺部分を触れるような感覚で、タッチセンサ２に触れることが可能となる。よって、光源装置３に対するオン／オフ操作を、光源装置３の本体に触れることなく、且つ直感的に使用者に行わせることができ、光源装置３の操作性を向上させることが可能となる。
【００２２】
なお、筐体４ａ内には、例えば第１のケーブル１１や第２のケーブル１２の筐体４ａ外における長さを調節できるように、ラチェット等を用いた巻取り装置（非図示）が設けられている。このようにケーブル１１，１２を巻き取る装置を設けることにより、使用者の体格や携帯バッテリ７の使用位置に応じて過不足ない長さに調節することが可能となる。
【００２３】
また、筐体４ａ外には、第１のケーブル１１および第２のケーブル１２を結束するスペーサ１５が設けられている。このスペーサ１５は、第１のケーブル１１と第２のケーブル１２との結束位置を変位可能な内径を有する筒状の樹脂部材であり、使用者の背面側（例えば首の裏側）にてケーブル１１，１２が使用者に纏わり付く（ぶらぶら動く）のを抑えるために用いられる。なお、スペーサ１５は、図示されたものに限らず、例えば、第１のケーブル１１を摺動可能なパーツと、第２のケーブル１２を摺動可能なパーツに分かれており、両パーツがマグネット等により接合されるタイプのものであってもよい。
【００２４】
これに加え、スペーサ１５は、自身の重量によって使用者が着用時の眼鏡の前後左右方向における重心を安定させるためにも用いられている。すなわち、使用者の着用時には、使用者の顔の正面側で、主に光源装置３の重量によって眼鏡が下方向（重力方向）に引っ張られる力を受け、主にタッチセンサ２の重量によって眼鏡が右方向（顔幅方向）に傾く力を受けることにより、これら光源装置３およびタッチセンサ２等を含む眼鏡の重心が右下方向にずれる。これに対し、スペーサ１５は、使用者の背面側で、第１のケーブル１１と第２のケーブル１２との結束位置を左方向に変位され得るため、自身の重量によって、眼鏡が下方向に引っ張られる力を作用させるだけでなく、眼鏡が左方向に傾く力を作用させることができる。これにより、スペーサ１５によるケーブル１１，１２の結束位置が適宜調整されることで、使用者の正面側と背面側とにおいて、左右方向の眼鏡への作用力が逆になるため左右方向の重心が安定し、眼鏡のテンプル部の軸方向（前後方向）両端への作用力が共に下方向になるため上下方向の重心が安定する。
【００２５】
このため、操作機器ユニット１によれば、スペーサ１５を具備しない場合と比較して、使用者が着用時の眼鏡の左右方向だけでなく、上下方向における重心が安定することにより、使用感や着用感をより向上させることができる。
【００２６】
＜第２実施形態＞
次に、本考案の第２実施形態について説明する。なお、第２実施形態では、第１実施形態に対し、第１のケーブル固定具６ａ，６ｂの代わりに１ないし複数のケーブル保持具、第２のケーブル固定具８ａ，８ｂ，８ｃの代わりに１ないし複数のデバイス保持具を、それぞれ備える点で異なるだけであるため、その他の構成については説明を省略する。また、本実施形態では、ケーブル保持具およびデバイス保持具の構成が同一であるため、両者を単に「保持具１０」と称して説明する。
【００２７】
すなわち、第２実施形態の保持具１０は、可撓性を有する弾性部材であり、図２（ａ）に示すように、眼鏡のテンプル部を挟持するためのテンプル挟持部２０と、第１のケーブル１１または第２のケーブル１２（以下「ケーブル４０」と総称する）を固定するためのケーブル固定部３０とを備えて構成される。
【００２８】
テンプル挟持部２０は、眼鏡のテンプル部の一部に対して着脱可能に形成されている。すなわち、テンプル挟持部２０は、図２（ｂ）に示すように、外周部分の断面が縦長のＣ形状を有し、その内部空間Ｓ１に眼鏡のテンプル部を挿入するための開口部２１を有している。この開口部２１は、開口を構成する上部２３と下部２４とによって形成され、上部２３が下部２４よりも内部空間Ｓ１側に巻き込みながら突出する配置になっている。この上部２３の下面には、外側斜め上方から眼鏡のテンプル部を挿入するように、その挿入方向を規定するガイド面２１ａが設けられている。
【００２９】
また、テンプル挟持部２０は、その内部空間Ｓ１において、眼鏡のテンプル部の大きさに応じてテンプル部の下面を付勢する部位（以下「下面付勢部」という）の上下方向の位置が調整可能に形成されている。すなわち、テンプル挟持部２０は、その内部空間Ｓ１において開口部２１に対向する側壁Ｗにて、ガイド面２１ａに応じた角度で突設した複数の襞部２２ａ，２２ｂ，２２ｃを有しており、これらの襞部２２ａ，２２ｂ，２２ｃは、側壁Ｗにおいて、それぞれ上下方向に所定間隔を空けて配列されている。
【００３０】
具体的には、テンプル挟持部２０は、これらの襞部２２ａ，２２ｂ，２２ｃの他、開口部２１からガイド面２１ａに沿って内部空間Ｓ１に挿入された眼鏡のテンプル部の上面を付勢する上面部２５と、内部空間Ｓ１の底面部２７とを有している。なお、上面部２５は、眼鏡のテンプル部の大きさに係わらず、このテンプル部の上面を内部空間Ｓ１側に付勢するようになっている。
【００３１】
ここで、図３（ａ）〜（ｄ）は、眼鏡のテンプル部の大きさに応じて下面付勢部の位置が調整される様子を示している。なお、テンプル挟持部２０は、可撓性を有する弾性部材であることから、眼鏡のテンプル部の大きさに応じて、テンプル挟持部２０全体も弾性変形することになるが、以下では、わかりやすく説明するために、このことについてはその説明を省略する。
【００３２】
まず、図３（ａ）に示すように、テンプル挟持部２０は、最も小さい形状のテンプル部を挟持する場合、最も上側に位置する襞部２２ａと開口部２１の上部２３とによって、眼鏡のテンプル部の下面が付勢される。すなわち、これらの襞部２２ａおよび開口部２１の上部２３と上記の上面部２５とによって、内部空間Ｓ１の約４０％以下となる第１の内部空間Ｓ１１が形成され、眼鏡のテンプル部がこの第１の内部空間Ｓ１１に密着される。このように、テンプル部が内部空間に密着された状態で配置される領域（以下「密着領域」という）として、第１の内部空間Ｓ１１が確保される。
【００３３】
次に、図３（ｂ）に示すように、テンプル挟持部２０は、先に説明したものよりも少し大きい形状のテンプル部を挟持する場合、上から２番目に位置する襞部２２ｂと上部２３とによって、眼鏡のテンプル部の下面が付勢される。すなわち、これらの襞部２２ｂおよび開口部２１の上部２３と上記の上面部２５とによって、内部空間Ｓ１の約６０％以下となる第２の内部空間Ｓ１２が形成され、眼鏡のテンプル部がこの第２の内部空間Ｓ１２に密着される。その際、最も上側に位置する襞部２２ａは、第２の内部空間Ｓ１２において、側壁Ｗに向かって上方に折り畳まれるように弾性変形することになり、上記の密着領域として、第２の内部空間Ｓ１２が確保される。
【００３４】
そして、図３（ｃ）に示すように、テンプル挟持部２０は、先に説明したものよりもさらに大きい形状のテンプル部を挟持する場合、上から３番目に位置する襞部２２ｃによって、眼鏡のテンプル部の下面が付勢される。すなわち、この襞部２２ｃと上面部２５とによって、内部空間Ｓ１の約８０％以下となる第３の内部空間Ｓ１３が形成され、眼鏡のテンプル部がこの第３の内部空間Ｓ１３に密着される。その際、これよりも上側に位置する襞部２２ａ，２２ｂは、第３の内部空間Ｓ１３において、側壁Ｗに向かって上方に折り畳まれるように弾性変形することになり、上記の密着領域として、第３の内部空間Ｓ１３が確保される。
【００３５】
なお、図３（ｄ）に示すように、テンプル挟持部２０は、最も大きい形状のテンプル部を挟持する場合、上記の底面部２７によって、眼鏡のテンプル部の下面が付勢される。すなわち、この底面部２７と上面部２５とによって、内部空間Ｓ１が形成され、眼鏡のテンプル部がこの内部空間Ｓ１に密着される。その際、全ての襞部２２ａ，２２ｂ，２２ｃは、内部空間Ｓ１において、側壁Ｗに向かって上方に折り畳まれるように弾性変形することになり、上記の密着領域として、内部空間Ｓ１が確保される。
【００３６】
なお、テンプル挟持部２０は、眼鏡のテンプル部において着用者の肌に触れる側（内側）の部分が側壁Ｗに当接して、テンプル部の一部が内部空間Ｓ１に収容されるように設計されている。
【００３７】
一方、ケーブル固定部３０は、ケーブル４０に密着する内径にて設計された断面Ｃ形状の筒状部材であり、テンプル挟持部２０と一体に成形されている。このケーブル固定部３０は、テンプル挟持部２０の上面部２５および開口部２１の上部２３に対する反対側（側方外側）に配置しており、第１のケーブル１１を眼鏡の一方（例えば左側）のテンプル部に固定（保持）したり、第２のケーブル１２を眼鏡の他方（例えば右側）のテンプル部に固定することで、タッチセンサ２を眼鏡のテンプル部またはテンプル部の周辺部分にて保持したりする。
【００３８】
以上の構成によれば、眼鏡のテンプル部の形状（大きさ）に応じて、テンプル挟持部２０の内部空間Ｓ１における密着領域が多段階式に変わることが可能になるため、テンプル部の大きさに係わらず、好適に第１のケーブル１１や第２のケーブル１２（ひいてはタッチセンサ２）を保持することができる。
【００３９】
また、タッチセンサ２が眼鏡のテンプル部よりも側方外側に配置されるため、このような配置により、使用者が例えばスイッチのタッチ操作等を、少なくとも自身の顔に触れることなく行うことが可能となり、ひいては使用感を向上させることができる。
【００４０】
＜他の実施形態＞
以上、本考案の実施形態について説明したが、本考案は上記実施形態に限定されるものではなく、本考案の要旨を逸脱しない範囲において、様々な態様にて実施することが可能である。
【００４１】
例えば、上記実施形態の保持具１０は、ケーブル４０を固定するように構成されているが、タッチセンサ等のデバイス部材を直接固定するように構成されてもよい。この場合、デバイス部材は、必ずしもケーブル４０に接続されていなくてはならないわけではなく、制御回路４に無線接続されていてもよい。なお、デバイス部材やその取付対象、操作対象機器、操作検出部、操作デバイス等のバリエーションについては、先に説明したので、ここではその説明を省略する。
【符号の説明】
【００４２】
１…操作機器ユニット、２…タッチセンサ、３…光源装置、３ａ…クリップ部、３ｂ…連結部、４…制御回路、４ａ…筐体、５…タッチセンサ装置、６ａ〜６ｂ…第１のケーブル固定具、７…携帯バッテリ、７ａ…クリップ、７ｂ…バッテリスイッチ、８ａ〜８ｃ…第２のケーブル固定具、１０…保持具、１１…第１のケーブル、１２…第２のケーブル、１３…第３のケーブル、１５…スペーサ、２０…テンプル挟持部、２１…開口部、２１ａ…ガイド面、２２ａ〜２２ｃ…襞部、２３…上部、２４…下部、２５…上面部、２７…底面部、３０…ケーブル固定部、４０…ケーブル、Ｓ１…内部空間、Ｓ１１…第１の内部空間、Ｓ１２…第２の内部空間、Ｓ１３…第３の内部空間、Ｗ…側壁。
【図１】
0003187851.tif 000003
【図２】
0003187851.tif 000004
【図３】
0003187851.tif 000005